(57)【特許請求の範囲】
【請求項１】
複数の基地局を含む無線通信システムにおけるユーザ装置であって、
接続基地局から、前記ユーザ装置に対する干渉基地局からの干渉データ信号を低減するために利用する制御情報を受信する受信部と、
前記制御情報を利用して、前記干渉データ信号を低減し、前記接続基地局からの所望データ信号を取得する干渉低減部とを備え、
前記制御情報には、前記干渉基地局の下り無線リソースにおける前記干渉データ信号の開始位置に関する情報である開始位置情報が含まれ、
前記接続基地局から制御チャネルにより受信する所望データ信号の開始位置情報が、前記干渉データ信号の開始位置情報よりも小さい場合において、前記干渉低減部は、前記所望データ信号の開始位置から、前記干渉データ信号の開始位置情報により示される前記干渉データ信号の開始位置の前までのリソースに対して第１の干渉低減方式により干渉低減処理を行い、前記干渉データ信号の開始位置以降のリソースに対して第２の干渉低減方式により干渉低減処理を行う
ことを特徴とするユーザ装置。
【請求項２】
複数の基地局を含む無線通信システムにおけるユーザ装置であって、
接続基地局から、前記ユーザ装置に対する干渉基地局からの干渉データ信号を低減するために利用する制御情報を受信する受信部と、
前記制御情報を利用して、前記干渉データ信号を低減し、前記接続基地局からの所望データ信号を取得する干渉低減部とを備え、
前記制御情報に、前記干渉基地局の下り無線リソースにおける前記干渉データ信号の開始位置に関する情報である開始位置情報が含まれない場合において、前記干渉低減部は、前記接続基地局から制御チャネルにより受信する所望データ信号の開始位置情報に基づいて、前記干渉データ信号を低減する処理を行い、
前記所望データ信号の開始位置情報が、当該所望データ信号において取り得る最大の開始位置を示す値未満の値である場合に、前記干渉低減部は、前記所望データ信号の開始位置から、前記所望データ信号において取り得る最大の開始位置の前までのリソースに対して第１の干渉低減方式により干渉低減処理を行い、前記所望データ信号において取り得る最大の開始位置以降のリソースに対して第２の干渉低減方式により干渉低減処理を行う
ことを特徴とするユーザ装置。
【請求項３】
前記第１の干渉低減方式は干渉抑圧合成であり、前記第２の干渉低減方式は逐次干渉キャンセルである
ことを特徴とする請求項１又は２に記載のユーザ装置。
【請求項４】
複数の基地局を含む無線通信システムにおけるユーザ装置が実行する干渉低減方法であって、
接続基地局から、前記ユーザ装置に対する干渉基地局からの干渉データ信号を低減するために利用する制御情報を受信する受信ステップと、
前記制御情報を利用して、前記干渉データ信号を低減し、前記接続基地局からの所望データ信号を取得する干渉低減ステップとを備え、
前記制御情報には、前記干渉基地局の下り無線リソースにおける前記干渉データ信号の開始位置に関する情報である開始位置情報が含まれ、
前記接続基地局から制御チャネルにより受信する所望データ信号の開始位置情報が、前記干渉データ信号の開始位置情報よりも小さい場合に、前記干渉低減ステップにおいて、前記ユーザ装置は、前記所望データ信号の開始位置から、前記干渉データ信号の開始位置情報により示される前記干渉データ信号の開始位置の前までのリソースに対して第１の干渉低減方式により干渉低減処理を行い、前記干渉データ信号の開始位置以降のリソースに対して第２の干渉低減方式により干渉低減処理を行う
ことを特徴とする干渉低減方法。
【請求項５】
複数の基地局を含む無線通信システムにおけるユーザ装置が実行する干渉低減方法であって、
接続基地局から、前記ユーザ装置に対する干渉基地局からの干渉データ信号を低減するために利用する制御情報を受信する受信ステップと、
前記制御情報を利用して、前記干渉データ信号を低減し、前記接続基地局からの所望データ信号を取得する干渉低減ステップとを備え、
前記制御情報に、前記干渉基地局の下り無線リソースにおける前記干渉データ信号の開始位置に関する情報である開始位置情報が含まれない場合に、前記干渉低減ステップにおいて、前記ユーザ装置は、前記接続基地局から制御チャネルにより受信する所望データ信号の開始位置情報に基づいて、前記干渉データ信号を低減する処理を行い、
前記所望データ信号の開始位置情報が、当該所望データ信号において取り得る最大の開始位置を示す値未満の値である場合に、前記干渉低減ステップにおいて、前記ユーザ装置は、前記所望データ信号の開始位置から、前記所望データ信号において取り得る最大の開始位置の前までのリソースに対して第１の干渉低減方式により干渉低減処理を行い、前記所望データ信号において取り得る最大の開始位置以降のリソースに対して第２の干渉低減方式により干渉低減処理を行う
ことを特徴とする干渉低減方法。
【発明の詳細な説明】
【技術分野】
【０００１】
本発明は、無線通信システムにおける基地局とユーザ装置に関するものである。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）におけるＬＴＥ（Ｌｏｎｇ  Ｔｅｒｍ  Ｅｖｏｌｕｔｉｏｎ）Ａｄｖａｎｃｅｄでは、ＭＵ−ＭＩＭＯ（ｍｕｌｔｉ−ｕｓｅｒ  ｍｕｌｔｉｐｌｅ−ｉｎｐｕｔ  ｍｕｌｔｉｐｌｅ−ｏｕｔｐｕｔ）を用いたＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）が提案されている。ＭＵ−ＭＩＭＯの下りリンク送信においては、１つの基地局が複数のユーザ装置と通信するだけでなく、１つのユーザ装置に異なるデータストリーム（レイヤ）を同時に送信することが可能である。
【０００３】
また、ＬＴＥ−Ａｄｖａｎｃｅｄでは、下りリンク通信に関して、接続基地局からの所望電波ビームに対する干渉基地局からの干渉電波ビームの干渉、及び接続基地局における他ユーザ向け信号による干渉を、ユーザ装置において低減（例：抑圧、除去）するための種々の技術が検討されている。
【０００４】
このような干渉を低減する技術では、例えば、図１に示すように、ユーザ装置１０が接続セル（接続基地局１のセル、ｓｅｒｖｉｎｇ  ｃｅｌｌ）の境界付近に所在して、所望基地局１の隣の他の基地局２（干渉基地局）から干渉電波ビームを強く受ける場合に、ユーザ装置１０が干渉低減処理を行うことにより、所望電波ビームに載せられた所望信号の受信品質を向上させることができる。図１において干渉基地局２で生成されたビーム、すなわち他のユーザ装置（例えばユーザ装置１１）への下りチャネルのためのビームの一部がユーザ装置１０にとって干渉信号になる。なお、図１は、干渉セルからの干渉を特に示した図である。
【先行技術文献】
【非特許文献】
【０００５】
【非特許文献１】３ＧＰＰ，Ｒ１−１２４０１０，Ｓｅｃｔｉｏｎ  ６．１０．５．１
【非特許文献２】Ｐ．Ｈｏｅｈｅｒ  ｅｔ．ａｌ．，"Ｔｗｏ−ｄｉｍｅｎｓｉｏｎａｌ  ｐｉｌｏｔ−ｓｙｍｂｏｌ−ａｉｄｅｄ  ｃｈａｎｎｅｌ  ｅｓｔｉｍａｔｉｏｎ  ｂｙ  Ｗｉｅｎｅｒ  ｆｉｌｔｅｒｉｎｇ，"  Ｐｒｏｃ．ＩＣＡＳＳＰ'９７，１９９７
【発明の概要】
【発明が解決しようとする課題】
【０００６】
以下では、干渉抑圧や除去等の干渉低減のための従来技術を説明し、本発明が解決しようとする課題について説明する。
【０００７】
＜干渉低減技術について＞
干渉信号と所望信号を含む受信信号から、所望信号を分離し、取得するための技術の１つとして、干渉抑圧合成（ＩＲＣ：Ｉｎｔｅｒｆｅｒｅｎｃｅ  Ｒｅｊｅｃｔｉｏｎ  Ｃｏｍｂｉｎｉｎｇ）と呼ばれる技術がある。干渉抑圧合成（ＩＲＣ）は、下りリンク通信に関して、接続基地局からの所望電波ビームに対する干渉基地局からの干渉電波ビームの干渉、及び接続基地局における他ユーザ向け信号による干渉を、ユーザ装置で抑圧するように、ユーザ装置において各受信アンテナで得られる信号に重み付け（受信ウェイト）を与える技術である。例えば、図１に示した場合では、ユーザ装置１０が、接続基地局１からの所望信号にビームを向け、干渉基地局２からの干渉信号にヌルを向ける指向性制御（ウェイト制御）を行うことで干渉抑圧を行う。
【０００８】
図２に示すように、ＩＲＣ受信技術では、干渉信号のチャネルが推定可能な場合と、干渉信号のチャネルが推定不可能な場合とで、２種類（Ｔｙｐｅ  １、Ｔｙｐｅ  ２）の受信ウェイトの算出方法がある。なお、図２に示す式はいずれもＭＭＳＥ（最小平均二乗誤差）アルゴリズムから導き出される式である。また、これらの式で受信ウェイトを計算する技術自体は既存技術である。
【０００９】
図２の中に示すように、干渉信号のチャネル推定が可能な場合のＴｙｐｅ  １の式において、下線で示した部分が干渉セルのチャネル行列で構成される共分散行列である。また、干渉信号のチャネル推定が不可能な場合のＴｙｐｅ  ２の式において、下線で示した部分が接続セル（接続基地局により構成されるセル、ｓｅｒｖｉｎｇ  ｃｅｌｌ）からの受信信号から推定される雑音干渉成分の共分散行列（統計量）である。
【００１０】
ＩＲＣの他、干渉信号と所望信号を含む受信信号から、所望信号を分離するための技術として逐次干渉キャンセル（ＳＩＣ：  Ｓｕｃｃｅｓｓｉｖｅ  Ｉｎｔｅｒｆｅｒｅｎｃｅ  Ｃａｎｃｅｌｌａｔｉｏｎ）の技術がある。
【００１１】
逐次干渉キャンセルは、受信信号から干渉信号の硬判定もしくは軟判定によるレプリカ信号を作成し、受信信号からレプリカ信号を逐次的に減算（除去）することにより、所望信号を抽出する技術である。ＳＩＣでは、複数の干渉信号毎に、干渉信号のチャネル推定を行い、当該チャネル推定に基づき干渉信号の復調を行って、干渉信号のレプリカを作成し、逐次受信信号から減算する。
【００１２】
更に、干渉低減を行う技術の他の例として、最尤（ＭＬ：Ｍａｘｉｍｕｍ  Ｌｉｋｅｌｉｈｏｏｄ）推定技術がある。最尤推定では、ユーザ装置における最尤判定検出器（ＭＬＤ：Ｍａｘｉｍｕｍ  Ｌｉｋｅｌｉｈｏｏｄ  Ｄｅｔｅｃｔｏｒ）が、所望信号と干渉信号に対してチャネル推定を行い、それらを同時に抽出（同時検出）する。同時検出を行うため、ＭＬＤは、所望信号と干渉信号の全ての信号点の組み合わせについて、その尤度を計算し、最も尤度が高い信号点の組を各基地局から送信された信号とする。最尤推定では、ある信号点の組から期待される受信信号と、実際の受信信号間のユークリッド距離を計算し、全ての信号点の組のうち、実際の受信信号から最も距離が近い(=最も尤度が高い)ものを送信信号とする。
【００１３】
ユーザ装置が、ＩＲＣ  Ｔｙｐｅ１、ＳＩＣ、ＭＬＤのような干渉低減能力の高い干渉低減技術を用いて接続セルにおける所望信号に対する干渉低減処理を行うためには、干渉セルから受信する干渉信号のチャネル推定等を行う必要があり、そのために干渉セルにおける各種の制御情報を把握する必要がある。また、接続セルのユーザ装置にとって、干渉セルでＰＤＳＣＨ（Ｐｈｙｓｉｃａｌ  Ｄｏｗｎｌｉｎｋ  Ｓｈａｒｅｄ  Ｃｈａｎｎｅｌ、ＵＥ向けのデータ信号が乗せられるチャネル）にユーザが割り当てられる場合に、そのＰＤＳＣＨの信号は大きな干渉信号（干渉データ信号）となり得る。つまり、図３に示すように、接続セルでユーザ装置にデータ受信のために割り当てられたリソースと同じリソースにおける干渉セルからのデータ信号が干渉となるので、この干渉信号を低減するために、干渉信号におけるユーザへのリソース割り当て情報も必要になる。
【００１４】
さて、ユーザ装置が接続セルにおけるデータ信号（ＰＤＳＣＨ）を良好に受信するために、当該データ信号に対して大きな干渉となり得る干渉セルのデータ信号（ＰＤＳＣＨ）を低減することが重要である。しかし、ＰＤＳＣＨは、無線リソース（以下、単にリソースと呼ぶ）における全てのリソースにマッピングされるのではなく、制御チャネル以外の部分にマッピングされることから、精度良く干渉低減を行うには、ユーザ装置は、無線リソースの中で、ＰＤＳＣＨがマッピングされるリソース位置（時間位置）を把握することが必要である。
【００１５】
図４は、ＬＴＥの下りリンクにおける制御チャネル（ＰＣＦＩＣＨ、ＰＨＩＣＨ、ＰＤＣＣＨ）とＰＤＳＣＨのリソースへのマッピング例を示す図である。図４に示すように、制御チャネルは、各サブフレームの先頭数ＯＦＤＭシンボルにマッピングされる。マッピングされるＯＦＤＭシンボル数Ｎは１〜３であり、この値はＣＦＩ（Ｃｏｎｔｒｏｌ  Ｆｏｒｍａｔ  Ｉｎｄｉｃａｔｏｒ）により２ビットの情報として示されている。接続セルにおいてＣＦＩは基本的にＰＣＦＩＣＨでＤｙｎａｍｉｃに送信される。ＣＦＩは、ＰＤＳＣＨのＯＦＤＭシンボルの開始位置を示す情報となる。例えばＣＦＩが２の場合、ＰＤＳＣＨはその直後の３ＯＦＤＭシンボル目から開始される。以下では、ＣＦＩ等のＰＤＳＣＨの開始位置を示す情報を開始位置情報と呼ぶ場合がある。
【００１６】
なお、ＣｏＭＰをサポートするＴＭ１０（Ｒｅｌ．１１で定義）では、ＰＣＦＩＣＨで通知されたＣＦＩと、実際にＰＤＳＣＨが開始されるＯＦＤＭシンボルとが異なる場合も存在する。いずれの場合でも、ＣＦＩ等の開始位置情報は、Ｄｙｎａｍｉｃに変化し得る情報である。
【００１７】
開始位置情報がＤｙｎａｍｉｃに変化する場合に関連する例として、上述したＣｏＭＰの概要を説明する。ＣｏＭＰは、下りリンク信号を複数の送信ポイント（ＴＰ：  Ｔｒａｎｓｍｉｓｓｉｏｎ  Ｐｏｉｎｔ）から送信することで、スループットの改善等を図る技術である。
【００１８】
また、ＣｏＭＰに関連して、Ｑｕａｓｉ  Ｃｏ−ｌｏｃａｔｉｏｎに係る技術が提案されている。異なるＡＰ（Ａｎｔｅｎｎａ  Ｐｏｒｔ）間で所定の長期的伝搬路特性が同一である場合に、これら異なるＡＰはＱｕａｓｉ  Ｃｏ−ｌｏｃａｔｉｏｎにあるものと定義されている。これらのＡＰは必ずしも物理的に近接している必要性はない。
【００１９】
図５に例示するように、ＣｏＭＰでは、ユーザ装置（ＵＥ）における受信品質の向上のため、ＰＤＳＣＨ（およびＤＭ−ＲＳ）を送信するＴＰを瞬時に切り替えることが可能である（Ｄｙｎａｍｉｃ  ｓｗｉｔｃｈｉｎｇ）。この場合、図６に示すように、ユーザ装置に到来する信号の時間及び周波数オフセットは、送信が行われたＴＰ毎に異なることが想定される。したがって、ユーザ装置がこれらの時間及び周波数オフセットを適切に補正するための情報が、接続基地局（ｓｅｒｖｉｎｇ  ｃｅｌｌ）より通知される。より具体的には、ユーザ装置が受信したＤＭ−ＲＳとＱｕａｓｉ  Ｃｏ−ｌｏｃａｔｉｏｎである参照信号（ＣＲＳ、ＣＳＩ−ＲＳ）が、どのＴＰから送信されているかの情報が通知される。ユーザ装置では、受信したＤＭ−ＲＳとＱｕａｓｉ  Ｃｏ−ｌｏｃａｔｉｏｎである参照信号を用いて、ＰＤＳＣＨ（およびＤＭ−ＲＳ）の時間及び周波数オフセットの補正を行う。
【００２０】
具体的には、ＲＲＣシグナリングで最大で周辺４ＴＰ分の所定情報が接続基地局からユーザ装置に通知され、ユーザ装置は、ＰＤＣＣＨで通知されるＤＣＩ  ｆｏｒｍａｔ  ２Ｄの２ｂｉｔ（ＰＱＩ）（図７）を用いて動的に１つを選択する動作を行う。
【００２１】
上記所定情報としてＰＤＳＣＨ  ｓｔａｒｔｉｎｇ  ｐｏｓｉｔｉｏｎ（ＰＤＳＣＨが開始するＯＦＤＭシンボルの情報）が通知される場合があり、これが通知された場合はＰＣＦＩＣＨで送信されているＣＦＩよりも優先される。つまり、ユーザ装置は、ＣＦＩではなく、ＰＤＳＣＨ  ｓｔａｒｔｉｎｇ  ｐｏｓｉｔｉｏｎを参照して、ＰＤＳＣＨの開始位置を決定する。よってＴＭ１０ではＰＤＳＣＨが開始されるＯＦＤＭシンボルがＣＦＩで示される開始位置とは異なる可能性がある。
【００２２】
上記ＰＤＳＣＨ  ｓｔａｒｔｉｎｇ  ｐｏｓｉｔｉｏｎはＲＲＣシグナリングで通知されるが、ＰＱＩはＤｙｎａｍｉｃに変わるため、実際にＰＤＳＣＨが開始されるＯＦＤＭシンボルはダイナミックに変わる可能性がある。
【００２３】
上記のように、ＰＤＳＣＨの開始位置情報（ＣＦＩ、ＰＤＳＣＨ  ｓｔａｒｔｉｎｇ  ｐｏｓｉｔｉｏｎ）はダイナミックに変化し得る情報であるため、例えば、接続基地局がユーザ装置に対してＲＲＣシグナリングで干渉セルの制御情報を送信する場合でも、ユーザ装置は干渉セルの開始位置情報を正確に把握できない場合が生じる。これにより特性劣化が生じる場合をＳＩＣを例にとって図８を参照して説明する。
【００２４】
図８の例では、ユーザ装置が接続セルのＰＤＳＣＨのリソースにおいて、干渉となるＰＤＳＣＨ（干渉データ信号）をＳＩＣによりキャンセルする場合を想定している。また、ユーザ装置は、干渉セルの開始位置情報を把握していないが、干渉セルのＰＤＳＣＨのチャネル推定のための情報、及び変調方式等の復調のための情報は把握しているものとする。
【００２５】
まず、特性劣化が生じないケースを説明する。この場合、図８（ａ）に示すように、接続セルの開始位置情報が２である場合において、ユーザ装置は、１サブフレーム中の３シンボル目からＳＩＣを適用する。これらの場合、接続セルのＰＤＳＣＨリソースに対する干渉が全部、干渉セルのＰＤＳＣＨになるため、特性劣化が生じない。
【００２６】
次に、特性劣化が生じるケースを説明する。この場合、図８（ｂ）に示すように、例えば接続セルの開始位置情報が２であり、干渉セルの開始位置情報が３であり、ユーザ装置は、接続セルの開始位置情報に基づいて、１サブフレーム中の３シンボル目からＳＩＣを適用する。しかし、本ケースにおいて、ユーザ装置は、干渉セルの開始位置情報を把握していないため、３シンボル目以降の干渉が全てＰＤＳＣＨであると誤って認識してＳＩＣを適用してしまうため特性劣化が生じる可能性がある。つまり、「干渉セルの開始位置情報＞接続セルの開始位置情報」となるケースで特性劣化が発生する可能性がある。
【００２７】
上記のような問題を解決するために、干渉セルの開始位置情報をダイナミックに取得、通知することが考えられるが、基地局間での開始位置情報の共有に要する遅延時間や、送信オーバヘッドの増加を考慮すると現実的でない。また、ＣＦＩもしくはＰＤＳＣＨ  ｓｔａｒｔｉｎｇ  ｐｏｓｉｔｉｏｎがダイナミックに変わらないようにスケジューラを制限することも考えられるが、システム性能の劣化が想定されるため、そのような制限は行わないことが望ましい。
【００２８】
本発明は上記の点に鑑みてなされたものであり、ユーザ装置において干渉データ信号の開始位置情報をダイナミックに把握できない場合でも、受信信号から干渉データ信号を適切に低減して所望データ信号を取得することを可能とする技術を提供することを目的とする。
【課題を解決するための手段】
【００２９】
本発明の実施の形態によれば、複数の基地局を含む無線通信システムにおけるユーザ装置であって、
接続基地局から、前記ユーザ装置に対する干渉基地局からの干渉データ信号を低減するために利用する制御情報を受信する受信部と、
前記制御情報を利用して、前記干渉データ信号を低減し、前記接続基地局からの所望データ信号を取得する干渉低減部とを備え、
前記制御情報には、前記干渉基地局の下り無線リソースにおける前記干渉データ信号の開始位置に関する情報である開始位置情報が含まれ、
前記接続基地局から制御チャネルにより受信する所望データ信号の開始位置情報が、前記干渉データ信号の開始位置情報よりも小さい場合において、前記干渉低減部は、前記所望データ信号の開始位置から、前記干渉データ信号の開始位置情報により示される前記干渉データ信号の開始位置の前までのリソースに対して第１の干渉低減方式により干渉低減処理を行い、前記干渉データ信号の開始位置以降のリソースに対して第２の干渉低減方式により干渉低減処理を行う
ことを特徴とするユーザ装置が提供される。
【００３０】
また、本発明の実施の形態によれば、複数の基地局を含む無線通信システムにおけるユーザ装置であって、
接続基地局から、前記ユーザ装置に対する干渉基地局からの干渉データ信号を低減するために利用する制御情報を受信する受信部と、
前記制御情報を利用して、前記干渉データ信号を低減し、前記接続基地局からの所望データ信号を取得する干渉低減部とを備え、
前記制御情報に、前記干渉基地局の下り無線リソースにおける前記干渉データ信号の開始位置に関する情報である開始位置情報が含まれない場合において、前記干渉低減部は、前記接続基地局から制御チャネルにより受信する所望データ信号の開始位置情報に基づいて、前記干渉データ信号を低減する処理を行い、
前記所望データ信号の開始位置情報が、当該所望データ信号において取り得る最大の開始位置を示す値未満の値である場合に、前記干渉低減部は、前記所望データ信号の開始位置から、前記所望データ信号において取り得る最大の開始位置の前までのリソースに対して第１の干渉低減方式により干渉低減処理を行い、前記所望データ信号において取り得る最大の開始位置以降のリソースに対して第２の干渉低減方式により干渉低減処理を行う
ことを特徴とするユーザ装置が提供される。
【００３２】
また、本発明の実施の形態によれば、複数の基地局を含む無線通信システムにおけるユーザ装置が実行する干渉低減方法であって、
接続基地局から、前記ユーザ装置に対する干渉基地局からの干渉データ信号を低減するために利用する制御情報を受信する受信ステップと、
前記制御情報を利用して、前記干渉データ信号を低減し、前記接続基地局からの所望データ信号を取得する干渉低減ステップとを備え、
前記制御情報には、前記干渉基地局の下り無線リソースにおける前記干渉データ信号の開始位置に関する情報である開始位置情報が含まれ、
前記接続基地局から制御チャネルにより受信する所望データ信号の開始位置情報が、前記干渉データ信号の開始位置情報よりも小さい場合に、前記干渉低減ステップにおいて、前記ユーザ装置は、前記所望データ信号の開始位置から、前記干渉データ信号の開始位置情報により示される前記干渉データ信号の開始位置の前までのリソースに対して第１の干渉低減方式により干渉低減処理を行い、前記干渉データ信号の開始位置以降のリソースに対して第２の干渉低減方式により干渉低減処理を行う
ことを特徴とする干渉低減方法が提供される。
【発明の効果】
【００３３】
本発明の実施の形態によれば、ユーザ装置において干渉データ信号の開始位置情報をダイナミックに把握できない場合でも、受信信号から干渉データ信号を適切に低減して所望データ信号を取得することを可能とする技術が提供される。
【図面の簡単な説明】
【００３４】
【図１】干渉セルからの干渉の低減を説明するための図である。
【図２】干渉抑圧合成（ＩＲＣ）受信を説明するための図である。
【図３】干渉信号を説明するための図である。
【図４】ＣＦＩを説明するための図である。
【図５】ＣｏＭＰの例を示す図である。
【図６】ＴＰ毎の受信信号の時間／周波数誤差を示す図である。
【図７】ＤＣＩ  ｆｏｒｍａｔ  ２ＤにおけるＰＱＩ（ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ）を示す図である。
【図８】接続セルの開始位置情報と干渉セルの開始位置情報との関係に応じて特性劣化が生じる例を説明するための図である。
【図９】本発明の実施の形態に係る無線通信システムの構成図である。
【図１０】本発明の実施の形態に係る無線通信システムの動作の概要を示す図である。
【図１１】チャネル推定処理の概要を示すフローチャートである。
【図１２】ＣＲＳを用いてチャネル推定を行うために必要な情報を示す図である。
【図１３】ＣＳＩ−ＲＳを用いてチャネル推定を行うために必要な情報を示す図である。
【図１４】ＤＭ−ＲＳを用いてチャネル推定を行うために必要な情報を示す図である。
【図１５】干渉信号の復調のために必要となる情報を示す図である。
【図１６】開始位置情報を通知する場合における動作を説明するための図である。
【図１７】開始位置情報として３を通知した場合のユーザ装置１００の動作例を示す図である。
【図１８】開始位置情報として２を通知した場合のユーザ装置１００の動作例を示す図である。
【図１９】開始位置情報を通知しない場合における動作を説明するための図である。
【図２０】接続セルの開始位置情報が３である場合のユーザ装置１００の動作例を示す図である。
【図２１】接続セルの開始位置情報が３未満である場合のユーザ装置１００の動作例１を示す図である。
【図２２】接続セルの開始位置情報が３未満である場合のユーザ装置１００の動作例２を示す図である。
【図２３】本実施の形態における無線通信システムの機能ブロック図である。
【図２４】本実施の形態における無線通信システムの動作を示すシーケンス図である。
【図２５】ユーザ装置の構成例を示す図である。
【図２６】基地局の構成例を示す図である。
【発明を実施するための形態】
【００３５】
以下、図面を参照して本発明の実施の形態を説明する。なお、以下で説明する実施の形態は一例に過ぎず、本発明が適用される実施の形態は、以下の実施の形態に限られるわけではない。例えば、以下の実施の形態では、能力の高い干渉低減技術として、ＳＩＣを使用しているが、これは例にすぎず、本発明は他の干渉低減技術（例：ＩＲＣ  Ｔｙｐｅ１、ＭＬＤ、その他）にも適用可能である。
【００３６】
（システム構成）
図９に本発明の実施の形態に係る無線通信システムの概要構成図を示す。本実施の形態に係る無線通信システムは、例えばＬＴＥ−Ａｄｖａｎｃｅｄ方式の無線通信システムであり、基地局２００（ｅＮｏｄｅＢ）（接続基地局）が接続セル（Ｓｅｒｖｉｎｇ  Ｃｅｌｌ）を形成し、セル内のユーザ装置１００（ＵＥ）が接続基地局２００と所望信号（Ｓｅｒｖｉｎｇ  Ｓｉｇｎａｌ）による通信を行う。本実施の形態の無線通信システムは、少なくともＬＴＥ−Ａｄｖａｎｃｅｄで規定されている機能を含む。ただし、本発明はＬＴＥ−Ａｄｖａｎｃｅｄの方式に限定されるわけではなく、ＬＴＥ−Ａｄｖａｎｃｅｄより先の世代のＬＴＥ無線通信システムや、ＬＴＥ以外の方式にも適用可能である。
【００３７】
通常、無線通信システムには、多くの基地局が備えられるが、図９には、接続基地局２００と、これに隣接する基地局３００が示されている。この隣接する基地局３００もセルを形成し、当該基地局３００を接続基地局とするユーザ装置１１０と信号の送受信を行う。この隣接する基地局３００から当該基地局３００を接続基地局とするユーザ装置１１０に対して送信される信号は、ユーザ装置１００にとって干渉信号となる。従って、本実施の形態では、当該隣接する基地局３００を干渉基地局と呼ぶ。また、干渉基地局３００におけるセルを干渉セルと呼ぶ。接続基地局に対する干渉基地局は複数であるのが一般的であるが、図９では１つのみの干渉基地局を示している。なお、本実施の形態では、干渉データ信号（ＰＤＳＣＨ）を低減して所望データ信号（ＰＤＳＣＨ）を取得する場合を想定していることから、主に、「干渉信号」は干渉データ信号を意味し、「所望信号」は所望データ信号を意味する。
【００３８】
ユーザ装置において干渉低減能力が高いＳＩＣ等の干渉低減処理を行うためには、干渉信号に関する制御情報が必要である。そこで、本発明の実施の形態では、ユーザ装置において干渉低減処理を行うために必要となる制御情報（干渉制御情報と呼ぶ）をＮＷ側から通知することを基本とする。干渉制御情報の通知は、ＲＲＣシグナリングによりセミスタティックに行ってもよいし、ＰＤＣＣＨ等でダイナミックに行ってもよいが、本実施の形態ではＲＲＣシグナリングで通知を行うこととしている。従って、ダイナミックに変化し得る干渉セルの開始位置情報をダイナミックには把握できない。
【００３９】
図１０を参照して、本実施の形態における無線通信システムの動作の概要を説明する。図１０に示す動作は、ユーザ装置１００において干渉基地局３００からの干渉信号を低減する干渉低減動作（ＳＩＣ）を行うことに着目した動作である。
【００４０】
図１０に示すように、干渉基地局３００が接続基地局２００に対して干渉制御情報を送信する（ステップ１０１）。接続基地局２００は、ＲＲＣシグナリングにて干渉制御情報をユーザ装置１００に送信する（ステップ１０２）。ユーザ装置１００は、接続基地局２００から受信した干渉制御情報に基づいて干渉低減処理（本実施の形態ではＳＩＣ）を行う。
【００４１】
図１０に示すとおり、本実施に形態において、接続基地局２００からＲＲＣシグナリングにてユーザ装置１００に通知される干渉制御情報には、干渉ＰＤＳＣＨ（干渉データ信号）の開始位置情報が含まれる場合と含まれない場合があり、これら２つの場合でユーザ装置１００は異なる動作を行う。これについての詳細は後述する。
【００４２】
（干渉制御情報について）
上記のように、本実施の形態では、基地局がユーザ装置に対して、ユーザ装置が干渉低減処理を行うために必要となる干渉セルにおける制御情報を通知することが基本的な動作となることから、干渉低減処理（ＩＲＣ、ＳＩＣ。ＭＬＤ等）を行うために必要となる干渉制御情報について説明する。以下では、干渉低減処理のために必要となる制御情報を干渉制御情報と呼ぶ。また、ＩＲＣの干渉制御情報をＩＲＣ必要情報と呼び、ＳＩＣの干渉制御情報をＳＩＣ必要情報と呼ぶ。以下、例として、ＩＲＣとＳＩＣについて説明するが、ＭＬＤを行うために必要な情報はＳＩＣ必要情報と同様である。以下での「ＩＲＣ」とは「ＩＲＣ  Ｔｙｐｅ  １」である。
【００４３】
本実施の形態においてユーザ装置１００が実施する能力の高い干渉低減処理はＳＩＣであることを想定しているが、基本的に、ＳＩＣ必要情報は、ＩＲＣ必要情報に追加情報を加えたものになるので、以下では、ＩＲＣ必要情報から説明する。
【００４４】
＜ＩＲＣ必要情報＞
ＩＲＣ受信ウェイト生成のためには、所望信号のチャネル情報に加えて、干渉信号に対するチャネル行列が必要であり、当該チャネル行列は、干渉セルからの参照信号を用いてチャネルを推定することにより得られる。ただし、もし基地局側においてプリコーディング送信がなされている場合は、プリコーディングが適用された（プリコーディング行列が乗算された）チャネルのチャネル行列である必要がある。
【００４５】
ＬＴＥ−Ａｄｖａｎｃｅｄにおいて、チャネル推定に用いることのできる参照信号として、ＣＲＳ（Ｃｅｌｌ−ｓｐｅｃｉｆｉｃ  Ｒｅｆｅｒｅｎｃｅ  Ｓｉｇｎａｌ、セル固有参照信号）、ＣＳＩ−ＲＳ  （ＣＳＩ  Ｒｅｆｅｒｅｎｃｅ  Ｓｉｇｎａｌ、ＣＳＩ参照信号）、ＤＭ−ＲＳ  （ＤｅＭｏｄｕｌａｔｉｏｎ  Ｒｅｆｅｒｅｎｃｅ  Ｓｉｇｎａｌ、復調参照信号、もしくはＵＥ  ｓｐｅｃｉｆｉｃ  Ｒｅｆｅｒｅｎｃｅ  Ｓｉｇｎａｌ）がある。
【００４６】
ＣＲＳは、どのＴＭ（Ｔｒａｎｓｍｉｓｓｉｏｎ  Ｍｏｄｅ）でも送信されるため、どのＴＭでもＣＲＳによるチャネル推定が可能である。ただし、ＣＲＳはプリコーディング送信されないため、プリコーディング情報（ＰＭＩ：  Ｐｒｅｃｏｄｉｎｇ  Ｍａｔｒｉｘ  Ｉｄｅｎｔｉｆｉｅｒ）抜きのチャネルのみ推定可能である。すなわち、もし基地局側においてプリコーディング送信がなされている場合、目的とするチャネル行列を求めるには、ＰＭＩが別途必要となる。
【００４７】
ここで、ＴＭ（Ｔｒａｎｓｍｉｓｓｉｏｎ  Ｍｏｄｅ）は、ＬＴＥのマルチアンテナ伝送における伝送モードであり、ＴＭ毎に参照信号構成やプリコーディングの有無が異なる。例えば、ＴＭ３は開ループ型送信ダイバーシチ（プリコーディングなし）であり、ＣＲＳを用いてデータを復調する。ＴＭ４は閉ループ型送信ダイバーシチ（プリコーディングあり）であり、ＣＲＳを用いてデータを復調する。ＴＭ９、ＴＭ１０は空間多重（プリコーディングあり）であり、ＤＭ−ＲＳを用いてデータを復調する。
【００４８】
ＣＳＩ−ＲＳ（ＣＳＩ  Ｒｅｆｅｒｅｎｃｅ  Ｓｉｇｎａｌ）は、ＬＴＥのＲｅｌ．１０（Ｒｅｌ．１０でＴＭ９が追加）から導入されたチャネル品質測定用参照信号であり、アンテナ毎に多重されて送信される。基地局から送信されるＣＲＳは最大４送信アンテナ（４レイヤ多重）までのサポートであるが、ＣＳＩ−ＲＳは最大８送信アンテナ（８レイヤ多重）をサポートしており、例えば、基地局が８アンテナ送信を行う場合、ＣＳＩ−ＲＳを使ってチャネル推定を行う。また、ＣＲＳのＡｎｔｅｎｎａ  Ｖｉｒｔｕａｌｉｚａｔｉｏｎ（参照信号の密度を減少させるため、ＣＲＳを送信するアンテナ数を減少させる）時に、全てのアンテナでＣＲＳによるチャネル推定が出来ない場合に、ＣＳＩ−ＲＳを使ってチャネル推定を行う。ＣＲＳの場合と同様に、ＣＳＩ−ＲＳはプリコーディング送信されないため、ＰＭＩ抜きのチャネルのみ推定可能である。すなわち、もし基地局側においてプリコーディング送信がなされている場合、目的とするチャネル行列を求めるには、ＰＭＩが別途必要となる。
【００４９】
ＤＭ−ＲＳは、ＰＤＳＣＨの復調用参照信号であり、ＰＤＳＣＨの信号と同様のプリコーディングがされて送信される。従って、ＤＭ−ＲＳを用いてチャネル推定を行うことで、プリコーディング情報（ＰＭＩ）込みのチャネルを直接推定できる。
【００５０】
ＣＲＳもしくはＣＳＩ−ＲＳを用いて干渉信号に対するチャネル推定を行ってチャネル行列を求める場合、ＩＲＣ受信ウェイト生成のためには、更に、当該チャネル行列に加えて、干渉信号におけるユーザ割り当て情報が必要である。ＤＭ−ＲＳは、ユーザに割り当てられたリソースでのみ送信されることから、ＤＭ−ＲＳを受信したリソース自体がユーザの割り当て情報となるので、ユーザ割り当て情報は別途必要ではない。
【００５１】
ユーザ装置１００におけるＩＲＣウェイト算出のためのチャネル推定処理概要について図１１のフローチャートを参照して説明しながら、各参照信号を用いてチャネル推定を行うために必要な情報についてより詳しく説明する。ただし、ここでは基地局側においてプリコーディング送信がなされていると仮定した説明を行う。
【００５２】
ユーザ装置１００はまず、チャネル推定を行う参照信号を決定する（ステップ２０１）。ここではＴＭが必要になる。ただし、何らかの方法でＴＭを知ることができる、もしくは、システム全体で統一されているなどの場合はＴＭを取得することは必要ない。
【００５３】
ステップ２０２では、送信された参照信号についての系列初期値の計算を行う。参照信号がＣＲＳの場合、系列初期値の計算を行うために、ＰＣＩＤ（Ｐｈｙｓｉｃａｌ  Ｃｅｌｌ  ＩＤ）、スロット番号、ＮＣＰ、ＭＢＳＦＮ  ｃｏｎｆｉｇｕｒａｔｉｏｎ等が必要となる。ここで、ＮＣＰは、ＣＰ（Ｃｙｃｌｉｃ  Ｐｒｅｆｉｘ）長がＮｏｒｍａｌかＥｘｔｅｎｄｅｄかを示す値であり、０か１である。参照信号がＣＳＩ−ＲＳの場合、スロット番号、ＰＣＩＤもしくはＶＣＩＤ（Ｖｉｒｔｕａｌ  Ｃｅｌｌ  ＩＤ）、ＮＣＰ等が必要になる。ここで、ＶＣＩＤは非特許文献１に規定されている。また、参照信号がＤＭ−ＲＳである場合、スロット番号、ＰＣＩＤもしくはＶＣＩＤ（Ｖｉｒｔｕａｌ  Ｃｅｌｌ  ＩＤ）、ｎＳＣＩＤ、ＰＤＳＣＨ送信帯域幅等が必要になる。ここで、ｎＳＣＩＤはＭＵ−ＭＩＭＯにおけるスクランブル系列の識別番号であり、０か１の値である。
【００５４】
ステップ２０３では、ステップ２０２で計算した系列初期値からスクランブリング系列の計算を行う。ステップ２０２，２０３により、送信された参照信号系列の特定がなされる。
【００５５】
ステップ２０４では、参照信号がＭａｐｐｉｎｇされたリソースの特定を行う。ここでは、参照信号がＣＲＳの場合、システム帯域幅、アンテナｐｏｒｔ数、ＭＢＳＦＮ  ｃｏｎｆｉｇｕｒａｔｉｏｎ等が必要になる。参照信号がＣＳＩ−ＲＳの場合、システム帯域幅、アンテナｐｏｒｔ数等が必要になる。参照信号がＤＭ−ＲＳの場合、ＮＣＰ、及び、ＲＢ毎もしくはサブバンド毎のアンテナｐｏｒｔ数等が必要になる。
【００５６】
参照信号のＭａｐｐｉｎｇは、システム帯域幅、アンテナｐｏｒｔ数等、上記の情報に応じて規定されているため、上記の情報が必要となる。
【００５７】
ステップ２０５では、参照信号に対するチャネル推定を行う。ここでは、いずれの参照信号の場合も、Ｐｏｗｅｒ  ｂｏｏｓｔｉｎｇがされている場合にそれを補正する必要があるため、Ｐｏｗｅｒ  ｂｏｏｓｔｉｎｇ情報が必要になる。Ｐｏｗｅｒ  ｂｏｏｓｔｉｎｇ情報とは参照信号とデータ信号の電力比である。
【００５８】
ステップ２０６では、ステップ２０５で得られた推定結果に基づいて、全リソースに対するチャネル推定を行う。ここでは、例えば、非特許文献２に記載された２次元ＭＭＳＥチャネル推定フィルタを利用する。
【００５９】
ステップ２０７において、プリコーディング行列（ＰＭＩで示される）の乗算を行う。従って、ここでは、ＣＲＳ、ＣＳＩ−ＲＳの場合にＰＭＩが必要になる。ＤＭ−ＲＳの場合は、ステップ２０６までの処理で、プリコーディング情報を含むチャネル推定がなされているので、ステップ２０７、すなわち、ＰＭＩは不要である。
【００６０】
上述したようなチャネル推定を行うために必要な情報をまとめたものを図１２〜図１４に示す。図１２が、ＣＲＳを用いてチャネル推定を行うために必要な情報を示し、図１３が、ＣＳＩ−ＲＳを用いてチャネル推定を行うために必要な情報を示し、図１４が、ＤＭ−ＲＳを用いてチャネル推定を行うために必要な情報を示す。
【００６１】
図１２〜図１４に示すように、参照信号を用いてチャネル推定を行うために必要な情報のうち、ＰＣＩＤとスロット番号以外は、ユーザ装置における推定が困難な情報である。なお、図１２〜図１４に示す情報は例であり、これらに含まれない情報を用いることもできるし、これらに含まれる情報を用いない場合もある。
【００６２】
＜ＳＩＣ必要情報＞
ＳＩＣを行うためには、全干渉信号に対するレプリカ信号を生成することが必要であり、そのためには、まず、各干渉信号に対してのチャネル推定を行うための情報が必要である。これは、ＩＲＣ必要情報と同じである。
【００６３】
次に、干渉信号の復調のために、図１５に示す情報が必要である。つまり、干渉信号の復調のための情報として、ＲＢ毎もしくはサブバンド毎のＰＤＳＣＨ変調方式情報、ＣＲＳ／ＣＳＩ−ＲＳ／ＤＭ−ＲＳそれぞれのｃｏｎｆｉｇｕｒａｔｉｏｎ（コンフィグレーション情報）、ＭＢＳＦＮ  ｃｏｎｆｉｇｕｒａｔｉｏｎ、ＰＤＳＣＨ  ｓｔａｒｔ  ｓｙｍｂｏｌが必要になる。また、ターボ等化の場合は、更に符号化率情報／ＲＢ  ｏｒ  ｓｕｂｂａｎｄも必要になる。
【００６４】
上記の情報のうち、ＣＲＳ／ＣＳＩ−ＲＳ／ＤＭ−ＲＳそれぞれのｃｏｎｆｉｇｕｒａｔｉｏｎとＭＢＳＦＮ  ｃｏｎｆｉｇｕｒａｔｉｏｎは、参照信号がマッピングされるリソースの計算のために必要な情報であり、ＰＤＳＣＨ  ｓｔａｒｔ  ｓｙｍｂｏｌはＰＤＳＣＨがマッピングされるリソースの計算のために必要な情報である。
【００６５】
ＩＲＣ必要情報とＳＩＣ必要情報（総称して干渉低減情報と呼ぶ）について、これまでに説明した全部が必須であるわけではない。例えば、一部をブラインド推定したり、一部を予め定められた値とする等の場合でも、多少特性が劣化する可能性はあるが、干渉低減を行うことが可能である。
【００６６】
一例として、以下の情報を干渉制御情報として接続基地局２００からユーザ装置１００に通知してもよい。
【００６７】
（１）Ｈｉｇｈｅｒ−ｌａｙｅｒ  （ＲＲＣ）  ｓｉｇｎａｌｉｎｇを行うパラメータ
・Ｐｈｙｓｉｃａｌ  Ｃｅｌｌ  ＩＤ
・ＣＲＳとＣＲＳが配置されるＯＦＤＭ  ｓｙｍｂｏｌにおけるＰＤＳＣＨの電力比（ＰＢ）
・ＣＲＳ  ｐｏｒｔ数
・ＭＢＳＦＮ  ｃｏｎｆｉｇｕｒａｔｉｏｎ
○Ｖｉｒｔｕａｌ  ｃｅｌｌ  ＩＤのセット
○ＣＲＳとＣＲＳが配置されないＯＦＤＭ  ｓｙｍｂｏｌにおけるＰＤＳＣＨの電力比（ＰＡ）のセット
○ＮＷ側でサポートしているＴｒａｎｓｍｉｓｓｉｏｎ  ｍｏｄｅ（もしくは送信Ｓｃｈｅｍｅ）のセット
その他、ＣｏＭＰ関連パラメータ、ＣＳＩ−ＲＳ関連パラメータ、ＣＦＩ  ｏｒ  ＰＤＳＣＨ  ｓｔａｒｔｉｎｇ  ｐｏｓｉｔｉｏｎ、ＴＤＤ関連パラメータ等をＲＲＣで通知してもよい。
【００６８】
上記の○で示す情報は、ブラインド推定のための補助情報となる。
【００６９】
（２）上記Ｈｉｇｈｅｒ−ｌａｙｅｒ  ｓｉｇｎａｌｉｎｇによりＩｍｐｌｉｃｉｔに通知するパラメータ
・干渉セルのＣＰ長、ｓｌｏｔ番号、ＳＦＮ、システム帯域幅が接続セルと同じであること
・干渉セルのＰＤＳＣＨリソース割り当てが少なくとも１  ＰＲＢ  ｐａｉｒ単位であること
（３）ユーザ装置側では、例えば、以下のパラメータをブラインド推定してもよい。
【００７０】
・ＣＲＳ−ｂａｓｅｄ  ＴＭ：Ｍｏｄｕｌａｔｉｏｎ  ｏｒｄｅｒ、ＰＭＩ、ＲＩ、干渉ＰＤＳＣＨが存在しているかどうかを示す情報
・ＤＭＲＳ−ｂａｓｅｄ  ＴＭ：Ｍｏｄｕｌａｔｉｏｎ  ｏｒｄｅｒ、ＲＩ、ＤＭＲＳ  ｐｏｒｔ数（最大２レイヤ）、ｎＳＣＩＤ（ＤＭＲＳ初期系列のパラメータ）、干渉ＰＤＳＣＨが存在しているかどうかを示す情報。
【００７１】
さて、上述した干渉低減情報におけるＰＤＳＣＨ  ｓｔａｒｔ  ｓｙｍｂｏｌは、これまでに説明したＣＦＩや「ＰＤＳＣＨ  ｓｔａｒｒｉｎｇ  ｐｏｓｉｔｉｏｎ」等の開始位置情報であり、本実施の形態では、干渉セルのＰＤＳＣＨ開始位置情報（単に開始位置情報と呼ぶ）がＲＲＣシグナリングでユーザ装置１００に通知される場合と通知されない場合がある。以下、それぞれについて説明する。
【００７２】
（干渉セルの開始位置情報が通知される場合）
まず、接続基地局２００からユーザ装置１００に対して干渉セルの開始位置情報が通知される場合についての動作概要を図１６を参照して説明する。なお、接続基地局２００からユーザ装置１００へは開始位置情報以外の干渉制御情報も送られるが、図１６は開始位置情報に着目した図である。
【００７３】
図１６に示すように、接続基地局２００はユーザ装置１００に対して干渉セルの開始位置情報をＲＲＣシグナリングで通知する（ステップ３０１）。干渉セルにおいて、実際の開始位置情報はダイナミックに変化し得るが、本実施の形態において、接続基地局２００は、干渉セルの開始位置情報として取り得る最大値をユーザ装置１００に通知することとしている。取り得る最大値は、接続基地局２００において予め設定してもよいし、接続基地局２００が干渉基地局３００から受信する開始位置情報に基づいて最大値を決めてもよい。例えば、接続基地局２００が干渉基地局３００から干渉セルのＣＦＩとして１〜３の値を受信する場合には、干渉セルの開始位置情報の取り得る値の最大値を３とする。ただしこの場合、干渉セルのＰＤＳＣＨ  ｓｔａｒｔｉｎｇ  ｐｏｓｉｔｉｏｎの取りうる値としては２〜４であるため、その最大値は４である。以下では、干渉セルの開始位置情報としてＣＦＩが通知される場合の例について説明する。
【００７４】
接続基地局２００から、干渉セルの開始位置情報として取り得る最大値を受信したユーザ装置１００は、干渉セルの実際の開始位置情報が、接続基地局２００から受信した値以下である（当該値を超えない）と仮定してＳＩＣを適用する（ステップ３０２）。
【００７５】
接続基地局２００からユーザ装置１００に対して干渉セルの開始位置情報として３を通知した場合におけるユーザ装置１００の動作例を図１７を参照して説明する。
【００７６】
この例では、例えば、接続基地局２００が、干渉基地局３００から受信するＣＦＩが３までの値をとることを検知したため、干渉セルの開始位置情報として３を通知する。ただし、干渉セルの実施の開始位置情報はダイナミックに変化し得るものであり、その値は３に限らない。本実施の形態では、ユーザ装置１００は、基本的に、干渉セルの実際の開始位置情報を把握できないが、接続セルの開始位置情報については、通常の動作として、制御チャネルによりダイナミックに把握している。
【００７７】
図１７（ａ）は、接続セルの開始位置情報が１であり、干渉セルの開始位置情報が３である場合を示している。ユーザ装置１００は、干渉セルの実際の開始位置情報が、接続基地局２００から受信した値を超えないと仮定している。つまり、ユーザ装置１００は、干渉セルの実際の開始位置情報が、最大で接続基地局２００から受信した値になり得るため、干渉セルの実際の開始位置情報が当該値であるものとしてＳＩＣを適用する。図１７（ａ）の場合は、干渉セルのＰＤＳＣＨが４ＯＦＤＭシンボル目から開始すると仮定し、４ＯＦＤＭシンボル目からＳＩＣを適用する。つまり、受信信号から干渉となるＰＤＳＣＨを低減し、所望のＰＤＳＣＨの信号を取得する。
【００７８】
図１７（ａ）では、第２シンボル及び第３シンボルは、ＳＩＣを適用しないが、例えば、干渉制御情報を必要としない干渉低減方式であるＩＲＣ  Ｔｙｐｅ２を適用する。
【００７９】
図１７（ｂ）は、接続セルの開始位置情報が２であり、干渉セルの実際の開始位置情報が１の場合である。干渉セルの実際の開始位置情報が１でも、ユーザ装置１００はこれを把握しておらず、図１７（ａ）の場合と同様に、干渉セルの実際の開始位置情報が３であると仮定してＳＩＣを適用する。つまり、４ＯＦＤＭシンボル目からＳＩＣを適用する。第３シンボルは、ＳＩＣを適用しないが、例えば、干渉制御情報を必要としない干渉低減方式であるＩＲＣ  Ｔｙｐｅ２を適用できる。
【００８０】
図１８は、開始位置情報として２を通知した場合を示す。図１８（ａ）、（ｂ）に示すとおり、ユーザ装置１００は、干渉セルの実際の開始位置情報が２であると仮定して、３シンボル目からＳＩＣを適用する。なお、この場合、４シンボル目からＳＩＣを適用することとしてもよい。
【００８１】
本例では、干渉ＰＤＣＣＨをＰＤＳＣＨと誤って認識することによるＳＩＣの劣化を確実に抑止することが可能となる。
【００８２】
（干渉セルの開始位置情報が通知されない場合）
次に、接続基地局２００からユーザ装置１００に対して干渉セルの開始位置情報が通知されない場合についての動作概要を図１９を参照して説明する。
【００８３】
図１９に示すように、接続基地局２００はユーザ装置１００に対して干渉制御情報をＲＲＣシグナリングで通知する（ステップ４０１）。ただし、干渉制御情報には、干渉セルの開始位置情報は含まれない。ユーザ装置１００は、通常の動作として、接続セルの開始位置情報は接続基地局２００から受信しており、ユーザ装置１００は、当該接続セルの開始位置情報に基づいて干渉低減処理（ＳＩＣ）を実施する（ステップ４０２）。
【００８４】
図２０は、干渉セルの開始位置情報の通知を行わず、接続セルの開始位置情報が３（取り得る最大値）である場合のユーザ装置１００の動作例を示す。図２０（ａ）〜（ｃ）に示すとおり、干渉セルの開始位置情報が１、２、３のいずれの場合も、ユーザ装置１００は、接続セルの開始位置情報に従って、該当サブフレームにおいて、ＰＤＳＣＨが開始する４ＯＦＤＭシンボル目からＳＩＣを適用する。接続セルの開始位置情報が最大の３である場合、後述するブラインド推定も行う必要がないので、ユーザ装置１００の負荷軽減が可能である。
【００８５】
図２１は、干渉セルの開始位置情報の通知を行わず、接続セルの開始位置情報が３未満（１又は２）である場合のユーザ装置１００の動作例１を示す。
【００８６】
ユーザ装置１００は、干渉セルの開始位置情報がどの値になるのか分からないため、最悪ケースを想定し、該当サブフレームにおいて、３ＯＦＤＭシンボル目までは干渉セルのＰＤＳＣＨが存在しないと仮定する。つまり、図２１（ａ）、図２１（ｂ）のいずれの場合も、４ＯＦＤＭシンボル目からＳＩＣを適用して、干渉セルのＰＤＳＣＨの低減を図る。この場合、図２１（ａ）、図２１（ｂ）に示すように、接続セルのＰＤＳＣＨのうち、ＳＩＣを適用しないリソースに対しては、干渉制御情報を要しないＩＲＣ  Ｔｙｐｅ２を適用する。
【００８７】
図２２は、干渉セルの開始位置情報の通知を行わず、接続セルの開始位置情報が３未満（１又は２）である場合のユーザ装置１００の動作例２を示す。
【００８８】
例えば、接続基地局２００と干渉基地局３００を含むエリアにおいて、開始位置情報（ＣＦＩ等）が固定値、あるいは、基地局間で同じ値とすることが定められている場合においては、干渉セルと接続セルの開始位置情報が同じであると仮定してＳＩＣを行うことができる。図２２はそのような場合を示している。図２２（ａ）の場合は、接続セルの開始位置情報が１であることを把握したユーザ装置１００は、干渉セルの開始位置情報も１であると見なして、２ＯＦＤＭシンボル目からのリソースに対してＳＩＣを適用する。図２２（ｂ）の場合、接続セルの開始位置情報が２であることを把握したユーザ装置１００は、干渉セルの開始位置情報も２であると見なして、３ＯＦＤＭシンボル目からのリソースに対してＳＩＣを適用する。
【００８９】
開始位置情報の通知を行わない場合においても、上記のような手法を用いることで、干渉ＰＤＣＣＨをＰＤＳＣＨと誤って認識することによるＳＩＣの劣化を確実に抑止可能である。
【００９０】
（ブラインド推定について）
以上、干渉セルの開始位置情報をユーザ装置１００に通知する場合と、通知しない場合について説明したが、いずれの場合でも、ユーザ装置１００は、干渉基地局３００から受信する信号に基づいて、ＣＦＩ等の開始位置情報のブラインド（Ｂｌｉｎｄ）推定を行ってもよい。例えば、ＴＭ１〜９であれば、干渉基地局３００から受信するＰＣＦＩＣＨを復調して、ＣＦＩを読む。ただし、干渉ＰＣＦＩＣＨをブラインド復調するために必要な情報（候補情報等）は保持しているとする。
【００９１】
ブラインド推定を行う場合で、干渉セルの開始位置情報がユーザ装置１００に通知される場合においては、当該開始位置情報を無視して、ブラインド推定値を用いてもよい。
【００９２】
ブラインド推定を行う場合で、干渉セルの開始位置情報がユーザ装置１００に通知されない場合においては、例えば、接続セルの開始位置情報が最大値でない場合に、ブラインド推定値を用いることとしてよい。
【００９３】
なお、開始位置情報に限らず、干渉制御情報のブラインド推定の精度を向上させるため、下記パラメータに関しては、ＮＷ側でサポートしている値の範囲を接続基地局２００からユーザ装置１００にＲＲＣシグナリングすることとしてもよい。
【００９４】
・Ｖｉｒｔｕａｌ  ｃｅｌｌ  ＩＤ。これは、全５１６パターンあるので、例えば、６〜１２パターンに限定した値の集合（セット）をシグナリングする。
【００９５】
・ＣＲＳとＣＲＳが配置されないＯＦＤＭ  ｓｙｍｂｏｌにおけるＰＤＳＣＨの電力比（ＰＡ）。これについては、例えば、全８パターンの内、３もしくは４つの値のシグナリングを行う。
【００９６】
・ＮＷ側（干渉基地局３００、接続基地局２００）でサポートしているＴｒａｎｓｍｉｓｓｉｏｎ  ｍｏｄｅ（もしくは送信Ｓｃｈｅｍｅ）。
【００９７】
ユーザ装置１００は、シグナリングされたセットの中からどの値が使われているかをブラインド推定する。ブラインド推定はＭＬ的に全パターンの中から最も確からしい値（尤度最大となる値）を推定値とするので、パターン数が減少することで推定精度向上効果やユーザ装置１００の負荷軽減効果がある。
【００９８】
（システム構成、処理フロー）
以下、本実施の形態に係るシステムの詳細構成、及び処理シーケンスを図２３、図２４を参照して説明する。図２３、図２４の例において、開始位置情報はＣＦＩであるとする。
【００９９】
図２３に、本実施の形態における無線通信システムの機能構成を表した機能ブロック図を示す。
【０１００】
図２３に示す無線通信システムは、接続基地局２００、干渉基地局３００、ユーザ装置１００を有する。
【０１０１】
接続基地局２００は、制御情報決定部２０１、制御情報通知制御部（ＲＲＣ）２０２、干渉制御情報受信部（ＲＲＣ）２０３、送信データ蓄積部２０４、送信信号生成部２０５、有線Ｉ／Ｆ２０６、及び無線Ｉ／Ｆ２０７を有する。
【０１０２】
制御情報決定部２０１は、所望信号の送信制御情報を決定する。制御情報通知制御部（ＲＲＣ）２０２は、ＳＩＣ受信処理に必要な所望信号の送信制御情報を他基地局へ通知する（ＲＲＣシグナリング用）。干渉制御情報受信部（ＲＲＣ）２０３は、ＲＲＣシグナリングで通知すべき干渉基地局の送信制御情報（干渉制御情報）を受信する。
【０１０３】
送信データ蓄積部２０４は、送信データを格納するメモリである。送信信号生成部２０５は、所望制御情報に基づき，所望及び干渉制御情報，所望送信データを含む所望送信信号を生成する。有線Ｉ／Ｆ２０６は、基地局間でデータを共有するためのＩ／Ｆであり、これは無線Ｉ／であってもよい。無線Ｉ／Ｆ２０７は、ユーザ装置１００に無線信号を送信する。
【０１０４】
干渉基地局３００は接続基地局２００と同様の構成を備えるが、図２３は、干渉基地局３００の構成要素のうちの制御情報通知制御部（ＲＲＣ）３０２、干渉制御情報受信部（ＲＲＣ）３０３、有線Ｉ／Ｆ３０６のみを示している。これらはそれぞれ、制御情報通知制御部（ＲＲＣ）２０２、干渉制御情報受信部（ＲＲＣ）２０３、有線Ｉ／Ｆ２０６と同様の機能を有する。
【０１０５】
ユーザ装置１００は、無線Ｉ／Ｆ１０１、所望信号チャネル推定部１０２、制御信号復調部（ＤＣＩ）１０３、干渉信号チャネル推定部１０４、干渉パラメータ推定部１０５、データ復調部１０６、ＲＲＣ情報受信部１０７、ＲＲＣ情報蓄積部１０８を備える。
【０１０６】
無線Ｉ／Ｆ１０１は、無線信号を受信するためのＩ／Ｆである。所望信号チャネル推定部１０２は、受信信号から所望信号に対するチャネルを推定する。制御信号復調部（ＤＣＩ）１０３は、所望信号チャネル推定部１０２によって推定された所望信号に対するチャネル推定値に基づき、送信制御情報（ＤＣＩ）を復調する。
【０１０７】
干渉信号チャネル推定部１０４は、ＲＲＣシグナリングにて通知された干渉信号の制御情報に基づき、干渉信号に対するチャネルを推定する。干渉パラメータ推定部１０５は、ＲＲＣシグナリングにて通知された干渉信号の送信制御情報に基づき、干渉信号の送信制御情報を推定する（例えばＣＦＩ，変調方式等）。データ復調部１０６は、ＳＩＣ処理部１０６−１、ＩＲＣ処理部１０６−２を有し、受信信号に対してＳＩＣもしくはＩＲＣ  Ｔｙｐｅ２処理を適用する。ＳＩＣもしくはＩＲＣのどちらを適用するかは図１７等を参照して説明したとおりである。
【０１０８】
ＲＲＣ情報受信部１０７は、ＲＲＣシグナリングにて通知された干渉信号の送信制御情報を受信する。ＲＲＣ情報蓄積部１０８は、ＲＲＣシグナリングにて通知された干渉信号の送信制御情報を蓄積する。
【０１０９】
次に、図２４のシーケンス図を参照して、無線通信システムの動作例を説明する。
【０１１０】
干渉基地局３００の制御情報通知制御部（ＲＲＣ）３０２は、干渉制御情報（ＲＲＣ通知用）を接続基地局２００に送信し（ステップ５０１）、接続基地局２００は干渉制御情報をＲＲＣシグナリングでユーザ装置１００に通知する（ステップ５０２）。当該干渉制御情報には、干渉セルのＣＦＩ（取り得る最大値）が含まれる場合と含まれない場合がある。
【０１１１】
干渉基地局３００においては、制御情報（接続セルから見た干渉制御情報）を決定し（ステップ５０３）、自セルでの無線信号通信を行うが、本実施の形態では、ダイナミックな干渉制御情報の通知を行わない。
【０１１２】
接続基地局２００は、所望信号の制御情報を決定し（ステップ５０４）、送信データを決定し（ステップ５０５）、送信信号の生成を行う（ステップ５０６）。接続基地局２００は、送信信号（ＤＣＩ＋データ信号）をユーザ装置１００に送信する（ステップ５０７）。
【０１１３】
ユーザ装置１００において、所望信号チャネル推定部１０２が、所望セルのチャネル推定を行い（ステップ５０８）、制御情報復調部（ＤＣＩ）１０３が制御情報（ＤＣＩ）の復調を行う（ステップ５０９）。また、干渉信号チャネル推定部１０４が干渉信号のチャネル推定を行い（ステップ５１０）、干渉パラメータ（干渉制御情報）推定を行う（ステップ５１１）。なお、この推定を行うことは必須ではなく、推定を行わない場合もある。
【０１１４】
データ復調部１０６は、干渉ＣＦＩが通知されているかどうかを判断し（ステップ５１２）、干渉ＣＦＩが通知されている場合（ステップ５１２のＹｅｓ）、ステップ５１６に進み、データ復調部１０６は、図１６〜図１８等を参照して説明したように、干渉セルの実際のＰＤＳＣＨ開始位置情報が、通知された干渉ＣＦＩを超えないと仮定してデータ復調処理を行う。
【０１１５】
干渉ＣＦＩが通知されていない場合（ステップ５１２のＮｏ）、ステップ５１３に進み、データ復調部１０６は、接続セルＣＦＩが３（最大）かどうかを判断する。接続セルＣＦＩが３である場合（ステップ５１３のＹｅｓ）、ステップ５１６に進み、データ復調部１０６は、図１９、図２０で説明したように、４ＯＦＤＭシンボル目以降についてのＳＩＣ処理を行って、データ復調を実施する。
【０１１６】
接続セルＣＦＩが３でない場合（ステップ５１３のＮｏ）、干渉パラメータ推定部１０５が干渉セルのＣＦＩを推定する場合（ステップ５１４）には、当該推定値を干渉セルのＣＦＩであると決定し（ステップ５１５）、データ復調処理を行う（ステップ５１６）。一例として、接続セルＣＦＩ＝１で、干渉セルＣＦＩ＝２であれば、３シンボル目からＳＩＣを適用して、データ（ＰＤＳＣＨ）復調を行う。また、干渉パラメータ推定部１０５が干渉セルのＣＦＩを推定しない場合には、例えば図２１で説明したように、干渉セルＣＦＩ＝３であると想定して（ステップ５１５）、データ復調処理を行う（ステップ５１６）。また、干渉パラメータ推定部１０５が干渉セルのＣＦＩを推定しない場合において、図２２で説明したように接続セルＣＦＩ＝干渉セルＣＦＩである場合には、接続セルのＣＦＩに基づいてＳＩＣを適用し、データ復調処理を行うこととしてもよい。
【０１１７】
（他の装置構成例等）
これまでに説明した装置構成は一例にすぎない。例えば、ユーザ装置１００を図２５に示すように構成してもよい。図２５に示すユーザ装置１００は、複数の基地局を含む無線通信システムにおけるユーザ装置であって、接続基地局から、前記ユーザ装置に対する干渉基地局からの干渉データ信号を低減するために利用する制御情報を受信する受信部１５１と、前記制御情報を利用して、前記干渉データ信号を低減し、前記接続基地局からの所望データ信号を取得する干渉低減部１５２とを備え、前記制御情報には、前記干渉基地局の下り無線リソースにおける前記干渉データ信号の開始位置に関する情報である開始位置情報が含まれ、前記干渉低減部１５２は、当該開始位置情報に基づいて、前記干渉データ信号を低減する処理を行う。この構成により、ユーザ装置において干渉データ信号の開始位置情報をダイナミックに把握できない場合でも、干渉データ信号を適切に低減して所望データ信号を取得することができる。
【０１１８】
前記干渉低減部１５２は、例えば、サブフレームにおける前記干渉データ信号の実際の開始位置が、前記開始位置情報により示される開始位置を超えないと仮定して前記干渉データ信号を低減する処理を行う。この構成により、例えば、干渉制御信号を干渉データ信号と誤って認識することによる干渉低減性能の劣化を抑止できる。
【０１１９】
前記干渉低減部１５２は、サブフレームにおける前記干渉データ信号の実際の開始位置が、前記開始位置情報により示される開始位置であると仮定して前記干渉データ信号を低減する処理を行うこととしてもよい。この構成においても、干渉制御信号を干渉データ信号と誤って認識することによる干渉低減性能の劣化を抑止できる。
【０１２０】
前記制御情報は、例えば、前記接続基地局から前記ユーザ装置に対してＲＲＣシグナリングにより送信される。ＲＲＣシグナリングにより送信するので、ダイナミックに送信する場合よりも処理負荷を低くできる。
【０１２１】
また、図２５のユーザ装置１００は、複数の基地局を含む無線通信システムにおけるユーザ装置であって、接続基地局から、前記ユーザ装置に対する干渉基地局からの干渉データ信号を低減するために利用する制御情報を受信する受信部１５１と、前記制御情報を利用して、前記干渉データ信号を低減し、前記接続基地局からの所望データ信号を取得する干渉低減部１５２とを備え、前記制御情報に、前記干渉基地局の下り無線リソースにおける前記干渉データ信号の開始位置に関する情報である開始位置情報が含まれない場合において、前記干渉低減部１５２は、前記接続基地局から制御チャネルにより受信する所望データ信号の開始位置情報に基づいて、前記干渉データ信号を低減する処理を行うように構成してもよい。この構成により、ユーザ装置において干渉データ信号の開始位置情報をダイナミックに把握できない場合でも、受信信号から干渉データ信号を適切に低減して所望データ信号を取得することが可能となる。
【０１２２】
前記干渉低減部１５２は、例えば、前記所望データ信号の開始位置情報により示される開始位置が、前記干渉データ信号の開始位置と同じであると仮定して、前記干渉データ信号を低減する処理を行う。この構成により、例えば、干渉制御信号を干渉データ信号と誤って認識することによる干渉低減性能の劣化を抑止できる。
【０１２３】
前記所望データ信号の開始位置情報が、当該所望データ信号において取り得る最大の開始位置を示す値未満の値である場合に、前記干渉低減部１５２は、前記干渉データ信号の開始位置情報を前記最大の開始位置を示す値と仮定して、前記干渉データ信号を低減する処理を行うようにしてもよい。この構成によっても、干渉制御信号を干渉データ信号と誤って認識することによる干渉低減性能の劣化を抑止できる。
【０１２４】
また、基地局２００を図２６に示すように構成してもよい。図２６に示す基地局２００は、無線通信システムにおいてユーザ装置と接続する基地局であって、前記ユーザ装置に対する干渉基地局からの干渉データ信号を低減するために前記ユーザ装置において利用される制御情報を、前記干渉基地局から受信する受信部２５１と、前記制御情報を前記ユーザ装置に送信する送信部２５２とを備え、前記ユーザ装置に送信される前記制御情報には、前記干渉基地局の下り無線リソースにおける前記干渉データ信号の開始位置に関する情報である開始位置情報が含まれる。この構成により、ユーザ装置において干渉データ信号の開始位置情報をダイナミックに把握できない場合でも、干渉データ信号を適切に低減して所望データ信号を取得することができる。
【０１２５】
前記開始位置情報は、例えば、サブフレームにおいて前記干渉データ信号が取り得る最大の開始位置を示す情報である。この構成による開始位置情報をユーザ装置が使用することで、例えば、干渉制御信号を干渉データ信号と誤って認識することによる干渉低減性能の劣化を抑止できる。
【０１２６】
（第１項）
複数の基地局を含む無線通信システムにおけるユーザ装置であって、
接続基地局から、前記ユーザ装置に対する干渉基地局からの干渉データ信号を低減するために利用する制御情報を受信する受信部と、
前記制御情報を利用して、前記干渉データ信号を低減し、前記接続基地局からの所望データ信号を取得する干渉低減部とを備え、
前記制御情報には、前記干渉基地局の下り無線リソースにおける前記干渉データ信号の開始位置に関する情報である開始位置情報が含まれ、前記干渉低減部は、当該開始位置情報に基づいて、前記干渉データ信号を低減する処理を行う
ことを特徴とするユーザ装置。
（第２項）
前記干渉低減部は、サブフレームにおける前記干渉データ信号の実際の開始位置が、前記開始位置情報により示される開始位置を超えないと仮定して前記干渉データ信号を低減する処理を行う
ことを特徴とする第１項に記載のユーザ装置。
（第３項）
前記干渉低減部は、サブフレームにおける前記干渉データ信号の実際の開始位置が、前記開始位置情報により示される開始位置であると仮定して前記干渉データ信号を低減する処理を行う
ことを特徴とする第１項又は第２項に記載のユーザ装置。
（第４項）
前記制御情報は、前記接続基地局から前記ユーザ装置に対してＲＲＣシグナリングにより送信される
ことを特徴とする第１項ないし第３項のうちいずれか１項に記載のユーザ装置。
（第５項）
複数の基地局を含む無線通信システムにおけるユーザ装置であって、
接続基地局から、前記ユーザ装置に対する干渉基地局からの干渉データ信号を低減するために利用する制御情報を受信する受信部と、
前記制御情報を利用して、前記干渉データ信号を低減し、前記接続基地局からの所望データ信号を取得する干渉低減部とを備え、
前記制御情報に、前記干渉基地局の下り無線リソースにおける前記干渉データ信号の開始位置に関する情報である開始位置情報が含まれない場合において、前記干渉低減部は、前記接続基地局から制御チャネルにより受信する所望データ信号の開始位置情報に基づいて、前記干渉データ信号を低減する処理を行う
ことを特徴とするユーザ装置。
（第６項）
前記干渉低減部は、前記所望データ信号の開始位置情報により示される開始位置が、前記干渉データ信号の開始位置と同じであると仮定して、前記干渉データ信号を低減する処理を行う
ことを特徴とする第５項に記載のユーザ装置。
（第７項）
前記所望データ信号の開始位置情報が、当該所望データ信号において取り得る最大の開始位置を示す値未満の値である場合に、前記干渉低減部は、前記干渉データ信号の開始位置情報を前記最大の開始位置を示す値と仮定して、前記干渉データ信号を低減する処理を行う
ことを特徴とする第５項又は第６項に記載のユーザ装置。
（第８項）
無線通信システムにおいてユーザ装置と接続する基地局であって、
前記ユーザ装置に対する干渉基地局からの干渉データ信号を低減するために前記ユーザ装置において利用される制御情報を、前記干渉基地局から受信する受信部と、
前記制御情報を前記ユーザ装置に送信する送信部とを備え、
前記ユーザ装置に送信される前記制御情報には、前記干渉基地局の下り無線リソースにおける前記干渉データ信号の開始位置に関する情報である開始位置情報が含まれる
ことを特徴とする基地局。
（第９項）
前記開始位置情報は、サブフレームにおいて前記干渉データ信号が取り得る最大の開始位置を示す情報である
ことを特徴とする第８項に記載の基地局。
（第１０項）
複数の基地局を含む無線通信システムにおけるユーザ装置が実行する干渉低減方法であって、
接続基地局から、前記ユーザ装置に対する干渉基地局からの干渉データ信号を低減するために利用する制御情報を受信する受信ステップと、
前記制御情報を利用して、前記干渉データ信号を低減し、前記接続基地局からの所望データ信号を取得する干渉低減ステップとを備え、
前記制御情報には、前記干渉基地局の下り無線リソースにおける前記干渉データ信号の開始位置に関する情報である開始位置情報が含まれ、前記干渉低減ステップにおいて、当該開始位置情報に基づいて、前記干渉データ信号を低減する処理を行う
ことを特徴とする干渉低減方法。
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１２７】
１００  ユーザ装置
１０１  無線Ｉ／Ｆ
１０２  所望信号チャネル推定部
１０３  制御信号復調部（ＤＣＩ）
１０４  干渉信号チャネル推定部
１０５  干渉パラメータ推定部
１０６  データ復調部
１０７  ＲＲＣ情報受信部
１０８  ＲＲＣ情報蓄積部
１５１  受信部
１５２  干渉低減部
２００  接続基地局
２０１  制御情報決定部
２０２  制御情報通知制御部（ＲＲＣ）
２０３  干渉制御情報受信部（ＲＲＣ）
２０４  送信データ蓄積部
２０５  送信信号生成部
２０６  有線Ｉ／Ｆ
２０７  無線Ｉ／Ｆ
２５１  受信部
２５２  送信部
３００  干渉基地局
３０２  制御情報通知制御部（ＲＲＣ）
３０３  干渉制御情報受信部（ＲＲＣ）
３０６  有線Ｉ／Ｆ
【図１】
0006393527.tif 000002
【図２】
0006393527.tif 000003
【図３】
0006393527.tif 000004
【図４】
0006393527.tif 000005
【図５】
0006393527.tif 000006
【図６】
0006393527.tif 000007
【図７】
0006393527.tif 000008
【図８】
0006393527.tif 000009
【図９】
0006393527.tif 000010
【図１０】
0006393527.tif 000011
【図１１】
0006393527.tif 000012
【図１２】
0006393527.tif 000013
【図１３】
0006393527.tif 000014
【図１４】
0006393527.tif 000015
【図１５】
0006393527.tif 000016
【図１６】
0006393527.tif 000017
【図１７】
0006393527.tif 000018
【図１８】
0006393527.tif 000019
【図１９】
0006393527.tif 000020
【図２０】
0006393527.tif 000021
【図２１】
0006393527.tif 000022
【図２２】
0006393527.tif 000023
【図２３】
0006393527.tif 000024
【図２４】
0006393527.tif 000025
【図２５】
0006393527.tif 000026
【図２６】
0006393527.tif 000027